(57)【特許請求の範囲】
【請求項１】
蒸発器、吸収器、再生器、凝縮器、溶液熱交換器を備えた吸収式冷凍機であって、
第１外板、第１区画体、第１伝熱板、第２区画体、第２外板を順に積層して第１積層体が構成され、第３外板、第３区画体、第２伝熱板、第４区画体、第４外板を順に積層して第２積層体が構成され、
前記第１積層体では、前記第１区画体及び前記第２区画体により、前記第１伝熱板を挟んで対向位置する２つの流体通流室を１組とする第１対向室モジュールが複数形成され、複数の前記第１対向室モジュールにおける２つの前記流体通流室内の夫々に第１伝熱フィンが備えられ、
前記第２積層体では、前記第３区画体及び前記第４区画体により、前記第２伝熱板を挟んで対向位置する２つの流体通流室を１組とする第２対向室モジュールが複数形成され、複数の前記第２対向室モジュールにおける２つの前記流体通流室内の夫々に第２伝熱フィンが備えられ、
前記第１積層体及び前記第２積層体の夫々には、複数の前記流体通流室の夫々に対して流体を流入可能な流入部、及び、複数の前記流体通流室の夫々から流体を排出可能な排出部が備えられ、
前記再生器として、高温再生器と低温再生器とが備えられた二重効用に構成され、
前記溶液熱交換器として、高温溶液熱交換器と低温溶液熱交換器とが備えられ、
前記高温再生器を除く、前記蒸発器、前記吸収器、前記低温再生器、前記凝縮器、前記高温溶液熱交換器、及び、前記低温溶液熱交換器の一部の機器が、前記第１対向室モジュールにて構成され、前記高温再生器を除く残りの一部の機器が、前記第２対向室モジュールにて構成され、
前記低温再生器、前記高温溶液熱交換器、及び、前記低温溶液熱交換器が、前記第１対向室モジュールにて構成され、前記蒸発器、前記吸収器、及び、前記凝縮器が、前記第２対向室モジュールにて構成されている吸収式冷凍機。
【請求項２】
前記流体通流室として、他の前記流体通流室と連通接続されて、その他の前記流体通流室からの流体が直接流入可能な直接流入用流体通流室が備えられている請求項１に記載の吸収式冷凍機。
【請求項３】
前記低温再生器から流出した冷媒にて前記吸収器から流出した吸収液を加熱する冷媒熱交換器が備えられ、その冷媒熱交換器が、前記第１対向室モジュールにて構成されている請求項１又は２に記載の吸収式冷凍機。
【請求項４】
前記吸収器に戻す吸収液を冷却用流体にて冷却させる溶液冷却用熱交換器が備えられ、
その溶液冷却用熱交換器が前記第１対向室モジュール又は前記第２対向室モジュールにて構成されている請求項１〜３の何れか１項に記載の吸収式冷凍機。
【請求項５】
前記第１積層体は、前記第１外板と前記第１区画体との間、又は、前記第２区画体と前記第２外板との間に、第１追加区画体及び第１追加伝熱板の第１単位追加体を追加して積層自在に構成され、
前記第１追加区画体は、前記第１追加伝熱板を挟んで前記第１対向室モジュールと対向する位置に第１追加流体通流室を形成自在に構成され、
前記第２積層体は、前記第３外板と前記第３区画体との間、又は、前記第４区画体と前記第４外板との間に、第２追加区画体及び第２追加伝熱板の第２単位追加体を追加して積層自在に構成され、
前記第２追加区画体は、前記第２追加伝熱板を挟んで前記第２対向室モジュールと対向する位置に第２追加流体通流室を形成自在に構成されている請求項１〜４の何れか１項に記載の吸収式冷凍機。
【請求項６】
請求項１〜５の何れか１項に記載の吸収式冷凍機において、前記蒸発器、前記吸収器、前記再生器、前記凝縮器、及び、前記溶液熱交換器の一部の機器が、前記第１外板、前記第１区画体、前記第１伝熱板、前記第２区画体、前記第２外板を順に積層してロウ付けにより互いを接着させて製造された前記第１積層体にて形成され、残りの一部の機器が、前記第３外板、前記第３区画体、前記第２伝熱板、前記第４区画体、前記第４外板を順に積層してロウ付けにより互いを接着させて製造された前記第２積層体にて形成されている吸収式冷凍機の製造方法。
【発明の詳細な説明】
【技術分野】
【０００１】
本発明は、蒸発器、吸収器、再生器、凝縮器、溶液熱交換器を備えた吸収式冷凍機及び吸収式冷凍機の製造方法に関する。
【背景技術】
【０００２】
吸収式冷凍機は、例えば第１種ヒートポンプ型であれば、蒸発器からの気化した冷媒を吸収器で吸収剤に吸収させ、この混合液である吸収液を再生器へ送り加熱して冷媒を分離する。分離された冷媒は、凝縮器に送られて冷やされ凝縮する。このようにして得られた凝縮した冷媒は膨張弁を経由して蒸発器に送られて蒸発し周囲から熱を奪う。
【０００３】
このような吸収式冷凍機では、従来、第１外板、第１区画体、伝熱板、第２区画体、第２外板を順に積層して積層体を構成し、その積層体にて、凝縮器、溶液熱交換器、過冷却器、蒸発器、及び、吸収器を形成している（例えば、特許文献１参照。）。
上記特許文献１に記載の吸収式冷凍機では、積層体において、第１区画体及び第２区画体により複数の中空状の流体通流室が形成され、その中空状の流体通流室に流体を通流させることで、伝熱板を挟んで対向位置する流体通流室を通流する流体同士の熱交換を行うようにしている。このようにして、複数の流体通流室によって、凝縮器、溶液熱交換器、過冷却器、蒸発器、吸収器の夫々が構成されている。
【先行技術文献】
【特許文献】
【０００４】
【特許文献１】特開平９−２４３２７９号公報
【発明の概要】
【発明が解決しようとする課題】
【０００５】
上記特許文献１に記載の吸収式冷凍機では、流体通流室を通流する流体が有する熱を、伝熱板を介して対向位置する流体通流室を通流する流体に伝熱させているだけであるので、伝熱性能が低いものとなっていた。そこで、例えば、流体通流室を大きくして伝熱板の伝熱面積を大きくすることによって伝熱性能を向上することが考えられるが、この場合には、流体通流室を大きくすることで、大型化を招くことになる。また、上記特許文献１に記載の吸収式冷凍機では、流体通流室が中空状となっていることから、強度的にも弱いものとなっている。
【０００６】
本発明は、かかる点に着目してなされたものであり、その目的は、強度の向上を図ることができながら、コンパクトに構成して伝熱性能を向上できる吸収式冷凍機及び吸収式冷凍機の製造方法を提供する点にある。
【課題を解決するための手段】
【０００７】
この目的を達成するために、本発明に係る吸収式冷凍機の特徴構成は、蒸発器、吸収器、再生器、凝縮器、溶液熱交換器を備えた吸収式冷凍機において、
第１外板、第１区画体、第１伝熱板、第２区画体、第２外板を順に積層して第１積層体が構成され、第３外板、第３区画体、第２伝熱板、第４区画体、第４外板を順に積層して第２積層体が構成され、
前記第１積層体では、前記第１区画体及び前記第２区画体により、前記第１伝熱板を挟んで対向位置する２つの流体通流室を１組とする第１対向室モジュールが複数形成され、複数の前記第１対向室モジュールにおける２つの前記流体通流室内の夫々に第１伝熱フィンが備えられ、
前記第２積層体では、前記第３区画体及び前記第４区画体により、前記第２伝熱板を挟んで対向位置する２つの流体通流室を１組とする第２対向室モジュールが複数形成され、複数の前記第２対向室モジュールにおける２つの前記流体通流室内の夫々に第２伝熱フィンが備えられ、
前記第１積層体及び前記第２積層体の夫々には、複数の前記流体通流室の夫々に対して流体を流入可能な流入部、及び、複数の前記流体通流室の夫々から流体を排出可能な排出部が備えられ、
前記再生器として、高温再生器と低温再生器とが備えられた二重効用に構成され、
前記溶液熱交換器として、高温溶液熱交換器と低温溶液熱交換器とが備えられ、
前記高温再生器を除く、前記蒸発器、前記吸収器、前記低温再生器、前記凝縮器、前記高温溶液熱交換器、及び、前記低温溶液熱交換器の一部の機器が、前記第１対向室モジュールにて構成され、前記高温再生器を除く残りの一部の機器が、前記第２対向室モジュールにて構成され、
前記低温再生器、前記高温溶液熱交換器、及び、前記低温溶液熱交換器が、前記第１対向室モジュールにて構成され、前記蒸発器、前記吸収器、及び、前記凝縮器が、前記第２対向室モジュールにて構成されている点にある。
【０００８】
本特徴構成によれば、第１外板、第１区画体、第１伝熱板、第２区画体、第２外板を順に積層して第１積層体を形成することにより、第１伝熱板を挟んで対向位置する２つの流体通流室を１組とする第１対向室モジュールを複数形成することができる。流入部は、複数の流体通流室の夫々に対して流体を流入可能であるので、各第１対向室モジュールにおいて、第１伝熱板を挟んで一方側の流体通流室に流入された流体が有する熱を、第１伝熱板を介して伝熱板を挟んで他方側の流体通流室に流入された流体に伝熱できる。しかも、複数の第１対向室モジュールにおける２つの流体通流室内の夫々に第１伝熱フィンが備えられているので、第１伝熱板だけではなく、この第１伝熱フィンをも活用して、各第１対向室モジュールにおける一方側の流体通流室の流体から他方側の流体通流室の流体への伝熱を行うことができ、伝熱性能を向上することができる。このように、伝熱性能を向上できることから、流体通流室を大きくして伝熱面積を大きくする必要もなく、第１積層体をコンパクトに構成することができる。さらに、複数の第１対向室モジュールにおける２つの流体通流室内の夫々に第１伝熱フィンを備えることで、第１伝熱板を挟んで対向位置する２つの流体通流室の夫々に第１伝熱フィンを存在させることができ、その第１伝熱フィンの存在によって第１積層体の強度の向上を図ることができる。
【０００９】
また、第２積層体についても、第１積層体と同様に、第３外板、第３区画体、第２伝熱板、第４区画体、第４外板を順に積層して第２積層体を形成することで、第２伝熱板を挟んで対向位置する２つの流体通流室を１組とする第２対向室モジュールを複数形成することができる。そして、複数の第２対向室モジュールにおける２つの流体通流室内の夫々に第２伝熱フィンが備えられているので、伝熱性能を向上して、第２積層体をコンパクトに構成することができるとともに、第２積層体の強度の向上を図ることができる。
【００１０】
そして、第１対向室モジュールや第２対向室モジュールを、蒸発器、凝縮器や溶液熱交換器等の熱交換器として構成することができるだけでなく、第１対向室モジュールや第２対向室モジュールの流体通流室に複数種の流体を流入させることで、複数種の流体を混合させることもでき、このような流体通流室を吸収器として構成することができる。また、第１対向室モジュールや第２対向室モジュールの流体通流室に流入された流体から複数種の流体に分離させることもでき、このような流体通流室を再生器として構成することができる。したがって、第１対向室モジュールや第２対向室モジュールによって、蒸発器、吸収器、再生器、凝縮器、及び、溶液熱交換器の夫々の機器を構成することができるので、第１積層体及び第２積層体を構成するだけで吸収式冷凍機を構成することができる。
【００１１】
第１積層体と第２積層体とから吸収冷凍機を構成するに当たり、第１積層体と第２積層体との積層体同士についても積層することができるので、コンパクト化を図ることができる。しかも、第１積層体の流入部や排出部と第２積層体の排出部や流入部とを接続する等により、流入部や排出部を活用して構成の簡素化を図りながら、第１積層体と第２積層体との間でも流体を通流させることができる。
【００１２】
以上のことから、伝熱性能の向上及び強度の向上を図ることができながら、コンパクトに構成できる第１積層体と第２積層体とを積層させて吸収式冷凍機を構成することで、強度の向上を図ることができながら、簡易に且つコンパクトに構成して伝熱性能を向上できる吸収式冷凍機を実現できるに至った。
また、本特徴構成によれば、第１対向室モジュール及び第２対向室モジュールにより、高温再生器を除く、蒸発器、吸収器、低温再生器、凝縮器、高温溶液熱交換器、及び、低温溶液熱交換器の複数の機器を構成することができる。したがって、第１積層体と第２積層体とによって、強度の向上を図ることができながら、コンパクトに構成して伝熱性能を向上できる二重効用吸収式冷凍機を構成することができる。
また、本特徴構成によれば、第１積層体にて形成される複数の第１対向室モジュールによって、低温再生器、高温溶液熱交換器、及び、低温溶液熱交換器の複数の機器を構成できる。そして、それらの複数の機器の間では、吸収液が通流されるので、それらの複数の機器を第１積層体に集めて構成することで、吸収液を通流させるための流路を短くしながら簡易に構成することができる。また、第２積層体にて形成される複数の第２対向室モジュールによって、蒸発器、吸収器、及び、凝縮器の複数の機器を構成することができる。そして、それらの複数の機器の間では、冷媒が通流されるので、それらの複数の機器を第２積層体に集めて構成することで、冷媒を通流させるための流路を短くしながら簡易に構成することができる。このように、第１対向室モジュールと第２対向室モジュールとによって、二重効用吸収式冷凍機を構成する複数の機器をバランスよく簡易に構成することができる。
【００１３】
本発明に係る吸収式冷凍機の更なる特徴構成は、前記流体通流室として、他の前記流体通流室と連通接続されて、その他の前記流体通流室からの流体が直接流入可能な直接流入用流体通流室が備えられている点にある。
【００１４】
本特徴構成によれば、他の流体通流室から排出される流体を、第１積層体や第２積層体の外部に排出させることなく、直接流入用流体通流室に直接流入させることができるので、他の流体通流室にて熱交換を行い、その熱交換を行った流体をそのまま直接流入用流体通流室での熱交換に用いることができる。したがって、１つの流体を異なる流体通流室にて段階的に熱交換させて効率良い熱交換を行うことができ、熱交換の性能向上を図ることができるとともに、他の流体通流室から排出される流体を第１積層体や第２積層体の外部まで導く流路を省略して、構成の簡素化を図ることもできる。
【００１９】
本発明に係る吸収式冷凍機の更なる特徴構成は、前記低温再生器から流出した冷媒にて前記吸収器から流出した吸収液を加熱する冷媒熱交換器が備えられ、その冷媒熱交換器が、前記第１対向室モジュールにて構成されている点にある。
【００２０】
本特徴構成によれば、二重効用吸収式冷凍機として、冷媒熱交換器を備えることができながら、その冷媒熱交換器をも第１積層体の第１対向室モジュールにて構成することができる。したがって、冷媒熱交換器をも備えた二重効用吸収式冷凍機を簡易に構成することができる。
【００２５】
本発明に係る吸収式冷凍機の更なる特徴構成は、前記吸収器に戻す吸収液を冷却用流体にて冷却させる溶液冷却用熱交換器が備えられ、その溶液冷却用熱交換器が前記第１対向室モジュール又は前記第２対向室モジュールにて構成されている点にある。
【００２６】
本特徴構成によれば、溶液冷却用熱交換器を備えることができながら、その溶液冷却用熱交換器をも第１積層体の第１対向室モジュール又は第２積層体の第２対向室モジュールにて構成することができる。したがって、溶液冷却用熱交換器をも備えた吸収式冷凍機を簡易に構成することができる。
【００２７】
本発明に係る吸収式冷凍機の更なる特徴構成は、前記第１積層体は、前記第１外板と前記第１区画体との間、又は、前記第２区画体と前記第２外板との間に、第１追加区画体及び第１追加伝熱板の第１単位追加体を追加して積層自在に構成され、前記第１追加区画体は、前記第１追加伝熱板を挟んで前記第１対向室モジュールと対向する位置に第１追加流体通流室を形成自在に構成され、前記第２積層体は、前記第３外板と前記第３区画体との間、又は、前記第４区画体と前記第４外板との間に、第２追加区画体及び第２追加伝熱板の第２単位追加体を追加して積層自在に構成され、前記第２追加区画体は、前記第２追加伝熱板を挟んで前記第２対向室モジュールと対向する位置に第２追加流体通流室を形成自在に構成されている点にある。
【００２８】
本特徴構成によれば、例えば、第１積層体において、第１外板と第１区画体との間に第１単位追加体を追加して積層させて第１積層体を構成することにより、第１追加流体通流室を通流させる流体と第１対向室モジュールにおける一方側の流体通流室を通流する流体とを第１追加伝熱板を介して熱交換させることができる。よって、第１追加流体通流室と第１対向室モジュールにおける一方側の流体通流室とに同一の流体を通流させることにより、熱交換量を増加させることが可能となる。よって、第１単位追加体を必要に応じて追加して積層させて第１積層体を構成することにより、求められている能力の変化に柔軟に対応することができる。また、第１追加流体通流室と第１対向室モジュールにおける一方側の流体通流室とで異なる流体を通流させることにより、より多種の流体の熱交換を行うこともできる。しかも、第１積層体だけでなく、第２積層体においても、第２単位追加体を必要に応じて追加して積層させて第２積層体を構成することにより、求められている能力の変化に柔軟に対応することができるとともに、より多種の流体の熱交換を行うこともできる。
【００２９】
本発明に係る吸収式冷凍機の製造方法は、上述の本発明に係る吸収式冷凍機の特徴構成の何れかを有するものであり、前記蒸発器、前記吸収器、前記再生器、前記凝縮器、及び、前記溶液熱交換器の一部の機器が、前記第１外板、前記第１区画体、前記第１伝熱板、前記第２区画体、前記第２外板を順に積層してロウ付けにより互いを接着させて製造された前記第１積層体にて形成され、残りの一部の機器が、前記第３外板、前記第３区画体、前記第２伝熱板、前記第４区画体、前記第４外板を順に積層してロウ付けにより互いを接着させて製造された前記第２積層体にて形成されている点にある。
【００３０】
本発明に係る吸収式冷凍機の製造方法によれば、単に、第１外板、第１区画体、第１伝熱板、第２区画体、第２外板を順に積層してロウ付けするだけで第１積層体を製造することができるとともに、第３外板、第３区画体、第２伝熱板、第４区画体、第４外板を順に積層してロウ付けするだけで第２積層体を製造することができるので、第１積層体及び第２積層体の製造を容易に行うことができる。よって、吸収式冷凍機として、製造工程の簡素化を有効に図ることができる。
【図面の簡単な説明】
【００３１】
【図１】第１実施形態における吸収式冷凍機の概略構成を示す図
【図２】第１実施形態における第１積層体の分解斜視図
【図３】第１実施形態における第２積層体の分解斜視図
【図４】第１実施形態における吸収式冷凍機の組立斜視図
【図５】第１実施形態における第１区画体を示す斜視図
【図６】第１実施形態における第２区画体を示す斜視図
【図７】第１実施形態における第３区画体を示す斜視図
【図８】第１実施形態における第４区画体を示す斜視図
【図９】参考形態における吸収式冷凍機の概略構成を示す図
【図１０】参考形態における第１積層体の分解斜視図
【図１１】参考形態における第２積層体の分解斜視図
【図１２】参考形態における吸収式冷凍機の組立斜視図
【図１３】参考形態における第３外板の分解斜視図
【図１４】参考形態における第１区画体を示す斜視図
【図１５】参考形態における第２区画体を示す斜視図
【図１６】参考形態における第３区画体を示す斜視図
【図１７】参考形態における第４区画体を示す斜視図
【発明を実施するための形態】
【００３２】
本発明に係る吸収式冷凍機の実施形態について図面に基づいて説明する。
＜第１実施形態＞
この第１実施形態における吸収式冷凍機は、吸収剤を臭化リチウム水溶液とし、冷媒を水とした二重効用吸収式冷凍機１００にて構成されている。この二重効用吸収式冷凍機１００は、再生器１として、バーナ２により冷媒Ａと吸収剤との混合液である吸収液Ｋを加熱する高温再生器３とその高温再生器３から供給される吸収液Ｋ２を高温再生器３からの冷媒蒸気Ａ１により加熱する低温再生器４とを備えている。そして、二重効用吸収式冷凍機１００は、冷媒蒸気Ａ１を凝縮させる凝縮器５と、その凝縮器５からの冷媒液Ａ２を蒸発させる蒸発器６と、その蒸発器６からの冷媒蒸気Ａ１を低温再生器４からの吸収液Ｋ３に吸収させる吸収器７とを備えている。図１は冷媒熱交換器１０を備えたフローを示しているが、冷媒熱交換器１０を無くし、低温再生器４で熱を与えた高温再生器３からの冷媒蒸気Ａ１を凝縮器５に入れることもできる。
【００３３】
吸収液Ｋが通流する流路として、吸収器７から高温再生器３へ吸収液Ｋ１（低濃度の吸収液）を供給する第１溶液流路Ｒ１と、高温再生器３から低温再生器４へ吸収液Ｋ２（中濃度の吸収液）を供給する第２溶液流路Ｒ２と、低温再生器４から吸収器７へ吸収液Ｋ３（高濃度の吸収液）を供給する第３溶液流路Ｒ３と、第１溶液流路Ｒ１の吸収液Ｋ１を第２溶液流路Ｒ２の吸収液Ｋ２に合流させる第４溶液流路Ｒ４とが備えられている。
【００３４】
冷媒Ａが通流する流路として、低温再生器４にて発生された冷媒蒸気Ａ１を凝縮器５に供給する第１冷媒流路Ｓ１と、凝縮器５にて凝縮された冷媒液Ａ２を蒸発器６に供給する第２冷媒流路Ｓ２と、蒸発器６にて蒸発された冷媒蒸気Ａ１を吸収器７に供給する第３冷媒流路Ｓ３と、低温再生器４からの冷媒液Ａ２を第２冷媒流路Ｓ２の冷媒液Ａ２に合流させる第４冷媒流路Ｓ４と、蒸発器６の冷媒液Ａ２を第４冷媒流路Ｓ４の冷媒液Ａ２に合流させて蒸発器６に戻す第５冷媒流路Ｓ５とが備えられている。
【００３５】
冷却用流体としての冷却水Ｂが通流する流路として、吸収器７に冷却水Ｂを供給して吸収器７内を通流させた後、凝縮器５に冷却水Ｂを供給して凝縮器５内を通流させる冷却水流路Ｃが備えられている。また、冷房等に用いる冷熱用水Ｅが通流する流路として、蒸発器６に冷熱用水Ｅを供給して蒸発器６内を通流させた後、冷熱用水Ｅを冷房等に用いる箇所に供給する冷熱用水流路Ｆが備えられている。
【００３６】
第１溶液流路Ｒ１には、吸収液Ｋ１の通流方向の上流側から順に、低温再生器４から流出した第３溶液流路Ｒ３の吸収液Ｋ３にて第１溶液流路Ｒ１の吸収液Ｋ１を加熱する低温溶液熱交換器８と、高温再生器３から流出した第２溶液流路Ｒ２の吸収液Ｋ２にて第１溶液流路Ｒ１の吸収液Ｋ１を加熱する高温溶液熱交換器９とが備えられている。第４溶液流路Ｒ４には、低温再生器４から流出した冷媒液Ａ２にて第４溶液流路Ｒ４の吸収液Ｋ１を加熱する冷媒熱交換器１０が備えられている。
【００３７】
第１溶液流路Ｒ１において、吸収器７と第４溶液流路Ｒ４との接続箇所との間の部位に溶液ポンプＰ１が備えられている。第５冷媒流路Ｓ５において、蒸発器６と第４冷媒流路Ｓ４との接続箇所との間の部位に冷媒ポンプＰ２が備えられている。
第２溶液流路Ｒ２において高温溶液熱交換器９と第４溶液流路Ｒ４との接続箇所との間の部位、第３溶液流路Ｒ３において低温溶液熱交換器８と吸収器７との間の部位、第４溶液流路Ｒ４において冷媒熱交換器１０と第２溶液流路Ｒ２との接続箇所との間の部位、第２冷媒流路Ｓ２において凝縮器５と第４冷媒流路Ｓ４との接続箇所との間の部位、及び、第４冷媒流路Ｓ４において冷媒熱交換器１０と第５冷媒流路Ｓ５との接続箇所との間の部位の夫々には、制限抵抗となる第１〜第５膨張弁Ｄ１〜Ｄ５の夫々が備えられている。外部に設置することも可能であるが、抵抗を固定してもよい場合は内部に設置することが可能である。本実施形態では固定抵抗とし、内部に設けている。
【００３８】
第１実施形態における二重効用吸収式冷凍機１００の動作について説明する。
まず、冷媒Ａの流れについて説明する。
高温再生器３にて吸収液Ｋ１から発生した冷媒蒸気Ａ１を加熱源として低温再生器４にて吸収液Ｋ２から発生した冷媒蒸気Ａ１を、第１冷媒流路Ｓ１により凝縮器５に供給して、凝縮器５において冷媒蒸気Ａ１を凝縮させる。凝縮器５にて凝縮された冷媒液Ａ２を、第２冷媒流路Ｓ２により蒸発器６に供給するとともに、蒸発器６内の冷媒液Ａ２も第５冷媒流路Ｓ５により循環されて、蒸発器６において冷媒液Ａ２を蒸発させる。また、低温再生器４からの冷媒液Ａ２も第４冷媒流路Ｓ４により蒸発器６に供給されており、その冷媒液Ａ２も蒸発器６において蒸発される。そして、蒸発器６にて蒸発された冷媒蒸気Ａ１を、第３冷媒流路Ｓ３により吸収器７に供給して、吸収器７において冷媒蒸気Ａ１が吸収剤に吸収されて吸収液となる。
【００３９】
次に、吸収液Ｋの流れについて説明する。
吸収器７にて冷媒蒸気Ａ１が吸収剤に吸収された吸収液Ｋ１を、第１溶液流路Ｒ１により高温再生器３に供給している。このとき、第１溶液流路Ｒ１では、低温溶液熱交換器８と高温溶液熱交換器９とにより順次吸収液Ｋ１を加熱して、その加熱した吸収液Ｋ１を高温再生器３に供給している。高温再生器３においてバーナ２により吸収液Ｋ１を加熱して、吸収液Ｋ１から冷媒蒸気Ａ１を発生させる。高温再生器３にて冷媒蒸気Ａ１が発生された吸収液Ｋ２を第２溶液流路Ｒ２により低温再生器４に供給している。このとき、第４溶液流路Ｒ４にて供給される吸収液Ｋ１も合流させて、合流後の吸収液Ｋ４を低温再生器４に供給している。低温再生器４において高温再生器３から供給される高温の冷媒蒸気Ａ１にて吸収液Ｋ４を加熱して、吸収液Ｋ４から冷媒蒸気Ａ１を発生させる。低温再生器４にて冷媒蒸気Ａ１が発生された吸収液Ｋ３を第３溶液流路Ｒ３によって吸収器７に供給している。
【００４０】
このように、二重効用吸収式冷凍機１００は、高温再生器３、低温再生器４、凝縮器５、蒸発器６、吸収器７、低温溶液熱交換器８、高温溶液熱交換器９、及び、冷媒熱交換器１０の複数の機器を備えて構成されている。
この第１実施形態では、二重効用吸収式冷凍機１００を構成する複数の機器のうち、高温再生器３を除く複数の機器、及び、それら複数の機器を接続する流路等が、図１に示すように、第１積層体１１と第２積層体１２の２つの積層体から構成されている。
【００４１】
以下、図２〜４に基づいて、第１積層体１１及び第２積層体１２の構成について説明する。図２は、第１積層体１１の分解斜視図を示しており、図３は、第２積層体１２の分解斜視図を示しており、図４は、第１積層体１１と第２積層体１２とから二重効用吸収式冷凍機１００を構成するに当たり、第１積層体１１と第２積層体１２とを積層して組み付けた状態での斜視図を示している。
【００４２】
図２に示すように、第１積層体１１は、第１外板１３、第１区画体１４、第１伝熱板１５、第２区画体１６、第２外板１７を順に積層して構成されている。第１外板１３、第１区画体１４、第１伝熱板１５、第２区画体１６、第２外板１７の夫々が、平面視で長方形状に形成されており、その厚みが薄い薄型に形成されている。そして、第１積層体１１は、第１外板１３、第１区画体１４、第１伝熱板１５、第２区画体１６、第２外板１７を順に積層してロウ付けにより互いを接着させて製造されている。
【００４３】
図３に示すように、第２積層体１２も、第１積層体１１と同様に、第３外板１８、第３区画体１９、第２伝熱板２０、第４区画体２１、第４外板２２を順に積層して構成されている。第３外板１８、第３区画体１９、第２伝熱板２０、第４区画体２１、第４外板２２の夫々が、平面視で長方形状に形成されており、その厚みが薄い薄型に形成されている。そして、第２積層体１２は、第３外板１８、第３区画体１９、第２伝熱板２０、第４区画体２１、第４外板２２を順に積層してロウ付けにより互いを接着させて製造されている。
【００４４】
第１積層体１１及び第２積層体１２は、第１伝熱板１５及び第２伝熱板２０の長手方向（図２〜図４中Ｘ方向）を第１積層体１１及び第２積層体１２の上下方向とし、且つ、第１伝熱板１５及び第２伝熱板２０の短手方向（図２〜図４中Ｙ方向）を第１積層体１１及び第２積層体１２の左右方向として縦長形状に形成されている。ここで、以下、第１伝熱板１５及び第２伝熱板２０の長手方向（図２〜図４中Ｘ方向）を「第１積層体１１及び第２積層体１２の上下方向」とし、第１伝熱板１５及び第２伝熱板２０の短手方向（図２〜図４中Ｙ方向）を「第１積層体１１及び第２積層体１２の左右方向」として説明する。
【００４５】
第１積層体１１における第１区画体１４は、図２及び図５に示すように、第１伝熱板１５と第１外板１３との間の空間を複数の空間に区切る枠体にて構成されており、その枠体にて区切られた空間を第１流体通流室２５として区画形成している。第１区画体１４にて形成される複数の第１流体通流室２５内の夫々には、第１伝熱フィン２３が備えられている。図２では第１伝熱フィン２３を省略して図示している。ここで、第１伝熱フィン２３の形状については、各種の形状が適応可能であり、例えば、波形状としたり、フィンピッチを変更させたオフセットフィンとしたり、コルゲートフィンとすることができ、また、適用箇所によって仕様を変えてもよい。第１伝熱フィン２３の材質は、例えば、銅とすることができる。
【００４６】
第１積層体１１における第２区画体１６も、第１区画体１４と同様に、図２及び図６に示すように、第１伝熱板１５と第２外板１７との間の空間を複数の空間に区切る枠体にて構成されており、その枠体にて区切られた空間を第２流体通流室２６として区画形成している。第２区画体１６にて形成される複数の第２流体通流室２６内の夫々にも、第１伝熱フィン２３が備えられている。図２では第１伝熱フィン２３を省略して図示している。
【００４７】
図３及び図７に示すように、第２積層体１２における第３区画体１９も、及び、図３及び図８に示すように、第２積層体１２における第４区画体２１も、第１積層体１１における第１区画体１４や第２区画体１６と同様に、第３外板１８と第２伝熱板２０との間の空間及び第２伝熱板２０と第４外板２２との間の空間を複数の空間に区切る枠体にて構成されており、その枠体にて区切られた空間を第３流体通流室２７及び第４流体通流室２８として区画形成している。第３区画体１９及び第４区画体２１にて形成される複数の第３流体通流室２７及び第４流体通流室２８内の夫々にも、第２伝熱フィン２４が備えられている。図３では、第２伝熱フィン２４を省略して図示している。第２伝熱フィン２４の形状や材質は、例えば、第１伝熱フィン２３と同様とすることができる。
【００４８】
図２に示すように、第１積層体１１において、第１区画体１４によって第１外板１３と第１伝熱板１５との間に複数の第１流体通流室２５ａ〜２５ｄが第１伝熱板１５に沿う方向で並ぶ形態で区画形成されている。また、第１積層体１１において、第２区画体１６によって第２外板１７と第１伝熱板１５との間に複数の第１流体通流室２５ａ〜２５ｄと第１伝熱板１５を挟んで対向する位置に複数の第２流体通流室２６ａ〜２６ｄが第１伝熱板１５に沿う方向で並ぶ形態で区画形成されている。第１流体通流室２５と第２流体通流室２６は同数備えられており、この第１実施形態では４つ備えられている。第１伝熱板１５を挟んで対向位置する第１流体通流室２５と第２流体通流室２６との２つの流体通流室を１組とする第１対向室モジュール２９が第１伝熱板１５に沿う方向で並ぶ形態で複数形成されている。ここで、第１伝熱板１５に沿う方向とは、第１伝熱板１５の表面に沿った方向で、例えば、図２中Ｘ方向及びＹ方向としている。
【００４９】
図３に示すように、第２積層体１２において、第３区画体１９によって第３外板１８と第２伝熱板２０との間に複数の第３流体通流室２７ａ〜２７ｃが第２伝熱板２０に沿う方向で並ぶ形態で区画形成されている。また、第２積層体１２において、第４区画体２１によって第４外板２２と第２伝熱板２０との間に複数の第３流体通流室２７ａ〜２７ｃと第２伝熱板２０を挟んで対向する位置に複数の第４流体通流室２８ａ〜２８ｃが第２伝熱板２０に沿う方向で並ぶ形態で区画形成されている。第３流体通流室２７と第４流体通流室２８とは同数備えられており、この第１実施形態では３つ備えられている。第２伝熱板２０を挟んで対向位置する第３流体通流室２７と第４流体通流室２８との２つの流体通流室を１組とする第２対向室モジュール３０が第２伝熱板２０に沿う方向で並ぶ形態で複数形成されている。ここで、第２伝熱板２０に沿う方向とは、第２伝熱板２０の表面に沿った方向で、例えば、図３中Ｘ方向及びＹ方向としている。
【００５０】
第１積層体１１及び第２積層体１２には、複数の第１〜第４流体通流室２５〜２８に対して流体を流入可能な流入部３１、及び、複数の第１〜第４流体通流室２５〜２８から流体を排出可能な排出部３２が備えられている。流入部３１及び排出部３２は、区画体や外板を貫通する貫通孔を形成することで、第１〜第４流体通流室２５〜２８の夫々に流体を流入可能及び排出可能に構成されている。
【００５１】
図２に示すように、第１積層体１１には、第１対向室モジュール２９として、１組目〜４組目までの４つの第１対向室モジュール２９ａ〜２９ｄが形成されている。そして、図５及び図６に示すように、１組目〜４組目の４つの第１対向室モジュール２９ａ〜２９ｄにおける第１流体通流室２５ａ〜２５ｄ及び第２流体通流室２６ａ〜２６ｄの夫々に第１伝熱フィン２３が備えられており、伝熱性能の向上を図っているとともに、第１積層体１１の強度の向上を図っている。
図３に示すように、第２積層体１２には、第２対向室モジュール３０として、１組目〜３組目までの３つの第２対向室モジュール３０ａ〜３０ｃが形成されている。そして、図７及び図８に示すように、１組目〜３組目の３つの第２対向室モジュール３０ａ〜３０ｃにおける第３流体通流室２７ａ〜２７ｃ及び第４流体通流室２８ａ〜２８ｃの夫々に第２伝熱フィン２４が備えられており、伝熱性能の向上を図っているとともに、第２積層体１２の強度の向上を図っている。
【００５２】
以下、第１流体通流室２５及び第２流体通流室２６については、複数の第１対向室モジュール２９ａ〜２９ｄのどの組に属するかに対応して添え字をａ〜ｄの何れかを付記する。例えば、１組目の第１対向室モジュール２９ａに属する第１流体通流室２５及び第２流体通流室２６は、第１流体通流室２５ａ及び第２流体通流室２６ａとする。第３流体通流室２７及び第４流体通流室２８についても、複数の第２対向室モジュール３０ａ〜３０ｃのどの組に属するかに対応して添え字をａ〜ｃの何れかを付記する。
【００５３】
低温再生器４、高温溶液熱交換器９、及び、低温溶液熱交換器８が、第１積層体１１の第１対向室モジュール２９にて構成され、蒸発器６、吸収器７、及び、凝縮器５が、第２積層体１２の第２対向室モジュール３０にて構成されている。具体的には、図２に示すように、第１積層体１１では、低温再生器４が１組目の第１対向室モジュール２９ａにて構成されており、冷媒熱交換器１０が２組目の第１対向室モジュール２９ｂにて構成されており、低温溶液熱交換器８が３組目の第１対向室モジュール２９ｃにて構成されており、高温溶液熱交換器９が４組目の第１対向室モジュール２９ｄにて構成されている。第２積層体１２では、図３に示すように、凝縮器５が１組目の第２対向室モジュール３０ａにて構成されており、蒸発器６が２組目の第２対向室モジュール３０ｂにて構成されており、吸収器７が３組目の第２対向室モジュール３０ｃにて構成されている。
【００５４】
図２に示すように、第１積層体１１では、１組目の第１対向室モジュール２９ａが上側に配置されており、２組目〜４組目の第１対向室モジュール２９ｂ〜２９ｄが下方側に配置されている。２組目〜４組目の第１対向室モジュール２９ｂ〜２９ｄは、左側から順に、２組目の第１対向室モジュール２９ｂ、３組目の第１対向室モジュール２９ｃ、４組目の第１対向室モジュール２９ｄに配置されている。これにより、１組目の第１対向室モジュール２９ａにて構成される低温再生器４を上側に配置し、２組目の第１対向室モジュール２９ｂにて構成される冷媒熱交換器１０を右下側に配置し、３組目の第１対向室モジュール２９ｃにて構成される低温溶液熱交換器８を下方中央部に配置し、４組目の第１対向室モジュール２９ｄにて構成される高温溶液熱交換器９を左下側に配置している。
【００５５】
図３に示すように、第２積層体１２では、１組目の第２対向室モジュール３０ａが上側に配置されており、２組目の第２対向室モジュール３０ｂが右下側に配置され、３組目の第２対向室モジュール３０ｃが左下側に配置されている。これにより、１組目の第２対向室モジュール３０ａにて構成される凝縮器５を上側に配置し、２組目の第２対向室モジュール３０ｂにて構成される蒸発器６を右下側に配置し、３組目の第２対向室モジュール３０ｃにて構成される吸収器７を左下側に配置している。
【００５６】
第１積層体１１では、第１区画体１４にて区画形成される第１流体通流室２５と第２区画体１６にて区画形成される第２流体通流室２６との間で流体の行き来がないように第１伝熱板１５にて区切るだけでなく、第１区画体１４にて区画形成される第１流体通流室２５と第２区画体１６にて区画形成される第２流体通流室２６とを連通するための連通室３３が複数備えられている。
【００５７】
図２に示すように、第１区画体１４には、第１区画体１４において上側に位置する第１流体通流室２５ａの上側に、横長状の第１連通室３３ａが区画形成されている。この第１連通室３３ａは、第１伝熱板１５に形成された複数の第１貫通孔部３４ａを通して、第２区画体１６において上側に位置する第２流体通流室２６ａの上端部に連通されている。そして、第１連通室３３ａは、第１区画体１４によって、左下側に位置する第１流体通流室２５ｄに連通されている。
第１区画体１４には、第１区画体１４において上側に位置する第１流体通流室２５ａの下側に、横長状の第２連通室３３ｂが区画形成されている。この第２連通室３３ｂは、第１伝熱板１５に形成された横長状の第１開口部３５ａを通して、第２区画体１６において上側に位置する第２流体通流室２６ａの下方側部に連通されている。そして、第２連通室３３ｂは、第１区画体１４によって、下方中央部に位置する第１流体通流室２５ｃに連通されている。
【００５８】
また、第１積層体１１では、第１区画体１４において左下側に位置する第１流体通流室２５ｄと第２区画体１６において右下側に位置する第２流体通流室２６ｂとを連通するために、第１区画体１４により区画形成された横長状の第３連通室３３ｃ、第１伝熱板１５に形成された第２開口部３５ｂ、第２区画体１６により形成された横長状の第５連通室３３ｅが備えられている。
さらに、第１積層体１１では、第２区画体１６において上側に位置する第２流体通流室２６ａの左側に、第１区画体１４と第２区画体１６との間に第１伝熱板１５が存在しない部位を有している。これにより、第１区画体１４にて形成される区画空間と第２区画体１６にて形成される区画空間とが合体した第４連通室３３ｄが備えられている。この第４連通室３３ｄは、第２区画体１６によって、上側に位置する第２流体通流室２６ａに連通されており、上下方向で流体の通流方向が反転する流路状に形成されている。
【００５９】
図３に示すように、第２積層体１２にも、第３区画体１９にて区画形成される第３流体通流室２７と第４区画体２１にて区画形成される第４流体通流室２８とを連通させるための複数の連通室３３が備えられている。
第４区画体２１において上側に位置する第４流体通流室２８ａの下側に、横長状の第６連通室３３ｆが区画形成されている。この第６連通室３３ｆは、第２伝熱板２０に形成された複数の第２貫通孔部３４ｂを通して、第３区画体１９において左下側に位置する第３流体通流室２７ｃの上端部に連通されている。
第４区画体２１において右下側に位置する第４流体通流室２８ｂの上側に、横長状の第７連通室３３ｇが区画形成されている。この第７連通室３３ｇは、その左端部が、第２伝熱板２０に形成された第３開口部３５ｃを通して、第３区画体１９において上側に位置する第３流体通流室２７ａの右端部に連通されているとともに、その中央部が、第２伝熱板２０に形成された複数の第３貫通孔部３４ｃを通して、第３区画体１９において右下側に位置する第３流体通流室２７ｂの上端部に連通されている。
【００６０】
また、第３区画体１９及び第４区画体２１において右下側に位置する第３流体通流室２７ｂ及び第４流体通流室２８ｂと第３区画体１９及び第４区画体２１において左下側に位置する第３流体通流室２７ｃ及び第４流体通流室２８ｃとの間には、第３区画体１９と第４区画体２１との間に第２伝熱板２０が存在しない部位を有している。これにより、第３区画体１９にて形成される空間と第４区画体２１にて形成される空間とが合体した第８連通室３３ｈが備えられている。この第８連通室３３ｈは、第３区画体１９によって、右下側に位置する第３流体通流室２７ｂ及び左下側に位置する第３流体通流室２７ｃに連通されている。第２伝熱板２０が存在しない部位は、上述の部位だけでなく、第３区画体１９及び第４区画体２１において右下側に位置する第３流体通流室２７ｂ及び第４流体通流室２８ｂの下側、及び、第３区画体１９及び第４区画体２１において左下側に位置する第３流体通流室２７ｃ及び第４流体通流室２８ｃの下側も、第２伝熱板２０が存在していない。これにより、この第２伝熱板２０が存在していない部位も、第３区画体１９にて形成される空間と第４区画体２１にて形成される空間とが合体した第９連通室３３ｉとなっている。この第９連通室３３ｉは、第３区画体１９によって、その左上側に位置する第３流体通流室２７ｃに連通されているとともに、その上側に位置する第８連通室３３ｈにも連通されている。
【００６１】
以下、高温再生器３を除く、低温再生器４、凝縮器５、蒸発器６、吸収器７、低温溶液熱交換器８、高温溶液熱交換器９、及び、冷媒熱交換器１０の夫々の機器について説明する。
【００６２】
〔低温再生器〕
図２に示すように、上側に位置する１組目の第１対向室モジュール２９ａでは、高温再生器３から流出した冷媒蒸気Ａ１を第１流体通流室２５ａに通流させ、且つ、高温溶液熱交換器９から流出した吸収液Ｋ２と冷媒熱交換器１０から流出した吸収液Ｋ１が混合した吸収液Ｋ４を第２流体通流室２６ａに通流させている。これにより、冷媒蒸気Ａ１にて吸収液Ｋ４を加熱して吸収液Ｋ４から冷媒蒸気Ａ１を発生させる低温再生器４が、１組目の第１対向室モジュール２９ａにて構成されている。
【００６３】
第１流体通流室２５ａに流入される冷媒蒸気Ａ１は、第１流入部３１ａにより第１流体通流室２５ａの右上端部に流入されている。第１流体通流室２５ａを通流した冷媒蒸気Ａ１は冷媒液Ａ２となって、その右下端部から、第１積層体１１の外部に排出されることなく、第１流体通流室２５ｂの上端部に直接流入されている。
【００６４】
第２流体通流室２６ａに流入される吸収液Ｋ４は、第１区画体１４において左下側に位置する第１流体通流室２５ｄから第１区画体１４において上端部に位置する第１連通室３３ａへの流入、及び、その第１連通室３３ａから複数の第１貫通孔部３４ａを通して、第１積層体１１の外部に排出されることなく、第２流体通流室２６ａの上端部に直接流入されている。これにより、第２流体通流室２６ａが直接流入用流体通流室として構成されており、吸収液Ｋ４を低温再生器４に直接流入可能に構成されている。第２流体通流室２６ａを通流した吸収液Ｋ４は、その左端部から、第２流体通流室２６ａに連通された第４連通室３３ｄに供給されて、その第４連通室３３ｄにて吸収液Ｋ４から冷媒蒸気Ａ１が分離される。このようにして、第４連通室３３ｄは、吸収液Ｋ４から冷媒蒸気Ａ１を分離させる分離室として構成されており、分離された冷媒蒸気Ａ１は、その左上端部から、第１排出部３２ａにより第１積層体１１の外部に排出されている。
【００６５】
〔冷媒熱交換器〕
右下側に位置する２組目の第１対向室モジュール２９ｂでは、低温再生器４から流出した冷媒液Ａ２を第１流体通流室２５ｂに通流させ、且つ、吸収器７から流出した吸収液Ｋ１を第２流体通流室２６ｂに通流させている。これにより、低温再生器４から流出した冷媒液Ａ２にて吸収器７から流出した吸収液Ｋ１を加熱する冷媒熱交換器１０が、２組目の第１対向室モジュール２９ｂにて構成されている。
【００６６】
第１流体通流室２５ｂに流入される冷媒液Ａ２は、第１流体通流室２５ａとの連通により、第１積層体１１の外部に排出されることなく、第１流体通流室２５ｂの上端部に直接流入されている。これにより、第１流体通流室２５ｂが直接流入用流体通流室として構成されており、低温再生器４から冷媒熱交換器１０に冷媒液Ａ２を直接流入可能に構成されている。第１流体通流室２５ｂを通流した冷媒液Ａ２は、その右下端部から、第２排出部３２ｂにより第１積層体１１の外部に排出されている。
【００６７】
第２流体通流室２６ｂに流入される吸収液Ｋ１は、第２流入部３１ｂにより第２流体通流室２６ｂの下端部に流入されている。第２流体通流室２６ｂを通流した吸収液Ｋ１は、その上端部から第５連通室３３ｅに流入し、その第５連通室３３ｅの左端部から第２開口部３５ｂを通して第１区画体１４において上下方向の中央部に位置する第３連通室３３ｃに流入して、第１連通室３３ａの吸収液Ｋ２に合流されている。
【００６８】
〔低温溶液熱交換器〕
下方中央部に位置する３組目の第１対向室モジュール２９ｃでは、低温再生器４を流出した吸収液Ｋ３を第１流体通流室２５ｃに通流させ、且つ、吸収器７を流出した吸収液Ｋ１を第２流体通流室２６ｃに通流させている。これにより、低温再生器４を流出した吸収液Ｋ３にて吸収器７を流出した吸収液Ｋ１を加熱する低温溶液熱交換器８が、３組目の第１対向室モジュール２９ｃにて構成されている。
【００６９】
第１流体通流室２５ｃに流入させる吸収液Ｋ３は、第２区画体１６において上側に位置する第２流体通流室２６ａの下方側端部から、第１積層体１１の外部に排出されることなく、第１開口部３５ａを通して第１区画体１４において上下方向の中央部に位置する第２連通室３３ｂに流入し、その第２連通室３３ｂから第１流体通流室２５ｃの左下端部に直接流入されている。これにより、第１流体通流室２５ｃが直接流入用流体通流室として構成されており、低温再生器４から低温溶液熱交換器８に吸収液Ｋ３を直接流入可能に構成されている。第１流体通流室２５ｃを通流した吸収液Ｋ３は、その右下端部から、第３排出部３２ｃにより第１積層体１１の外部に排出されている。
【００７０】
第２流体通流室２６ｃに流入させる吸収液Ｋ１は、第２流入部３１ｂにより第２流体通流室２６ｃの右下端部に流入されている。第２流入部３１ｂは、第２流体通流室２６ｂと第２流体通流室２６ｃの両者に吸収液Ｋ１を流入させるために用いられている。第２流体通流室２６ｃを通流した吸収液Ｋ１は、その左上端部から、第１積層体１１の外部に排出されることなく、第２流体通流室２６ｄに直接流入されている。
【００７１】
〔高温溶液熱交換器〕
左下側に位置する４組目の第１対向室モジュール２９ｄでは、高温再生器３を流出した吸収液Ｋ２を第１流体通流室２５ｄに通流させ、且つ、低温溶液熱交換器８を流出した吸収液Ｋ１を第２流体通流室２６ｄに通流させている。これにより、高温再生器３を流出した吸収液Ｋ２にて低温溶液熱交換器８を流出した吸収液Ｋ１を加熱する高温溶液熱交換器９が、４組目の第１対向室モジュール２９ｄにて構成されている。
【００７２】
第１流体通流室２５ｄに流入させる吸収液Ｋ２は、第３流入部３１ｃにより第１流体通流室２５ｄの左下端部に流入されている。第１流体通流室２５ｄを通流した吸収液Ｋ２は、その右上端部から、第１積層体１１の外部に排出されることなく、第１連通室３３ａに流入されている。
【００７３】
第２流体通流室２６ｄに流入させる吸収液Ｋ１は、第２流体通流室２６ｃとの連通により、第１積層体１１の外部に排出されることなく、第２流体通流室２６ｄの右上端部に直接流入されている。これにより、第２流体通流室２６ｄが直接流入用流体通流室として構成されており、低温溶液熱交換器８から高温溶液熱交換器９に吸収液Ｋ１を直接流入可能に構成されている。第２流体通流室２６ｄを通流した吸収液Ｋ１は、その左下端部から、第４排出部３２ｄにより第１積層体１１の外部に排出されている。
【００７４】
〔凝縮器〕
図３に示すように、上側に位置する１組目の第２対向室モジュール３０ａでは、低温再生器４から流出した冷媒蒸気Ａ１を第３流体通流室２７ａに通流させ、且つ、吸収器７を流出した冷却水Ｂを第４流体通流室２８ａに通流させている。これにより、低温再生器４から流出した冷媒蒸気Ａ１を冷却水Ｂにより凝縮させる凝縮器５が、１組目の第２対向室モジュール３０ａにて構成されている。
【００７５】
第３流体通流室２７ａに流入させる冷媒蒸気Ａ１は、第４流入部３１ｄにより第３流体通流室２７ａの左上端部に流入されている。第３流体通流室２７ａを通流した冷媒蒸気Ａ１は、冷媒液Ａ２となって、その右端部から、第２積層体１２の外部に排出されることなく、第３開口部３５ｃを通して、第４区画体２１において右上端部に位置する第７連通室３３ｇに流入されている。
【００７６】
第４流体通流室２８ａに流入させる冷却水Ｂは、第４流体通流室２８ｃとの連通により、第２積層体１２の外部に排出されることなく、第４流体通流室２８ａの左下端部に直接流入されている。これにより、第４流体通流室２８ａが直接流入用流体通流室として構成されており、吸収器７から凝縮器５に冷却水Ｂを直接流入可能に構成されている。第４流体通流室２８ａを通流した冷却水Ｂは、その右上端部から、第５排出部３２ｅにより第２積層体１２の外部に排出されている。
【００７７】
〔蒸発器〕
右下側に位置する２組目の第２対向室モジュール３０ｂでは、凝縮器５及び冷媒熱交換器１０を流出した冷媒液Ａ２並びに蒸発器６にて循環される冷媒液Ａ２を第３流体通流室２７ｂに通流させ、且つ、冷熱用水Ｅを第４流体通流室２８ｂに通流させている。これにより、凝縮器５及び冷媒熱交換器１０を流出した冷媒液Ａ２並びに蒸発器６にて循環される冷媒液Ａ２を冷熱用水Ｅにより蒸発させる蒸発器６が、２組目の第２対向室モジュール３０ｂにて構成されている。
【００７８】
第３流体通流室２７ｂに流入させる冷媒液Ａ２は、第２積層体１２の外部に排出されていない冷媒液Ａ２と第２積層体１２の外部から流入された冷媒液Ａ２とが合流されて、第３流体通流室２７ｂに流入されている。第２積層体１２の外部に排出されていない冷媒液Ａ２については、第３区画体１９において上側に位置する第３流体通流室２７ａから、第２積層体１２の外部に排出されることなく、第３開口部３５ｃを通して第７連通室３３ｇの左端部に流入している。一方、第２積層体１２の外部から流入される冷媒液Ａ２については、図２において右下側に位置する第１流体通流室２５ｂから外部に排出されて冷媒熱交換器１０を流入した冷媒液Ａ２と、図３において第３流体通流室２７ｂの右下端部から外部に排出されて蒸発器６にて循環される冷媒液Ａ２とが合流され、第８流入部３１ｈにより第７連通室３３ｇの右端部に流入している。そして、第７連通室３３ｇにて冷媒液Ａ２が混合されて、その第７連通室３３ｇから複数の第３貫通孔部３４ｃを通して、第３流体通流室２７ｂの上端部に流入されている。第３流体通流室２７ｂを通流した冷媒液Ａ２は、冷媒蒸気Ａ１となって、その左端部から、第８連通室３３ｈを通して、第３流体通流室２７ｃに直接流入されている。また、第３流体通流室２７ｂを流通して冷媒液Ａ２のままのものは、その右下端部から、第６排出部３２ｆにて第２積層体１２の外部に排出され、第８流入部３１ｈにより第７連通室３３ｇの右端部に流入されて循環されている。
【００７９】
第４流体通流室２８ｂに流入させる冷熱用水Ｅは、第５流入部３１ｅにより第４流体通流室２８ｂの右下端部に流入されている。第４流体通流室２８ｂを通流した冷熱用水Ｅは、その右上端部から、第７排出部３２ｇにより第２積層体１２の外部に排出されている。
【００８０】
〔吸収器〕
左下側に位置する３組目の第２対向室モジュール３０ｃでは、低温溶液熱交換器８を流出した吸収液Ｋ３及び蒸発器６を流出した冷媒蒸気Ａ１を第３流体通流室２７ｃに通流させ、且つ、冷却水Ｂを第４流体通流室２８ｃに通流させている。これにより、低温溶液熱交換器８を流出した吸収液Ｋ３に蒸発器６を流出した冷媒蒸気Ａ１を吸収させる吸収器７が、３組目の第２対向室モジュール３０ｃにて構成されている。
【００８１】
第３流体通流室２７ｃに流入させる吸収液Ｋ３は、第６流入部３１ｆにより第４区画体２１において上下方向の中間部に位置する第６連通室３３ｆの右端部に流入され、その第６連通室３３ｆから複数の第２貫通孔部３４ｂを通して、第３流体通流室２７ｃの上端部に流入されている。また、第３流体通流室２７ｃに流入させる冷媒蒸気Ａ１は、第３区画体１９において右下側に位置する第３流体通流室２７ｂから、第２積層体１２の外部に排出されることなく、第８連通室３３ｈを通して、第３流体通流室２７ｃに流入されている。そして、第３流体通流室２７ｃを通流する吸収液Ｋ３に冷媒蒸気Ａ１が吸収されている。第３流体通流室２７ｃの下側に位置する第９連通室３３ｉには、吸収液Ｋ３に冷媒蒸気Ａ１が吸収された吸収液Ｋ１が溜められており、その吸収液Ｋ１が、第９連通室３３ｉの下端部から、第８排出部３２ｈにより第２積層体１２の外部に排出されている。
【００８２】
第４流体通流室２８ｃに流入させる冷却水Ｂは、第７流入部３１ｇにより第４流体通流室２８ｃの左下端部に流入されている。第４流体通流室２８ｃを通流した冷却水Ｂは、その左上端部から、第４流体通流室２８ａに直接流入されている。
【００８３】
〔単位追加体〕
上述の第１積層体１１において、図示は省略するが、第１外板１３と第１区画体１４との間、又は、第２区画体１６と第２外板１７との間に、第１追加区画体及び第１追加伝熱板の第１単位追加体を追加して積層自在に構成されている。ここで、第１追加区画体は、第１区画体１４や第２区画体１６と同様に、複数の空間に区画自在な枠体にて構成されており、その区画空間の夫々に伝熱フィンが備えられる。そして、第１追加区画体は、第１追加伝熱板を挟んで第１対向室モジュール２９と対向する位置に流体を通流可能な第１追加流体通流室を第１伝熱板１５に沿う方向で並ぶ形態で区画形成自在に構成されている。これにより、第１単位追加体を必要に応じて追加して積層させて第１積層体１１を構成することにより、求められている能力に的確に対応することができる。
【００８４】
また、第２積層体１２についても、第１積層体１１と同様に、第３外板１８と第３区画体１９との間、又は、第４区画体２１と第４外板２２との間に、第２追加区画体及び第２追加伝熱板の第２単位追加体を追加して積層自在に構成されている。第２追加区画体も、第３区画体１９や第４区画体２１と同様に、複数の空間に区画自在な枠体にて構成されており、その区画空間の夫々に伝熱フィンが備えられる。これにより、第２単位追加体を必要に応じて追加して積層させて第２積層体１２を構成することにより、求められている能力に的確に対応することができる。
【００８５】
このようにして、第１積層体１１と第２積層体１２とによって、高温再生器３を除く、低温再生器４、凝縮器５、蒸発器６、吸収器７、低温溶液熱交換器８、高温溶液熱交換器９、及び、冷媒熱交換器１０を構成することができる。そこで、二重効用吸収式冷凍機１００を構成するに当たり、図４に示すように、第１積層体１１と第２積層体１２とを積層して、第１積層体１１の流入部や排出部と第２積層体１２の排出部や流入部との接続や溶液ポンプＰ１や冷媒ポンプＰ２の装着を行うとともに、高温再生器３（図示省略）を取り付けることで、二重効用吸収式冷凍機１００を製造するようにしている。
【００８６】
＜参考形態＞
上記第１実施形態では、吸収式冷凍機を二重効用吸収式冷凍機１００にて構成しているが、この参考形態では、吸収式冷凍機を単効用吸収式冷凍機１０１にて構成している。この参考形態における単効用吸収式冷凍機１０１でも、吸収剤を臭化リチウム水溶液とし、冷媒を水としている。単効用吸収式冷凍機１０１は、二重効用吸収式冷凍機１００に対して、構成する機器の数等が異なるだけであるので、この参考形態では、第１積層体及び第２積層体にて構成する機器について中心に説明し、その他の構成については簡単に説明する。
【００８７】
この単効用吸収式冷凍機１０１では、図９に示すように、再生器として、加熱温水Ｇを熱源として吸収液Ｋから冷媒蒸気Ａ３を発生させる再生器１を１つ備えているだけであり、溶液熱交換器についても、再生器１から流出した吸収液Ｋにて吸収器７を流出した吸収液Ｋを加熱する溶液熱交換器５０の１つを備えているだけである。
【００８８】
吸収液Ｋが通流する流路として、吸収器７から再生器１へ吸収液Ｋ５（低濃度の吸収液）を供給する第５溶液流路Ｒ５と、再生器１から吸収器７へ吸収液Ｋ６（高濃度の吸収液）を供給する第６溶液流路Ｒ６とが備えられている。
【００８９】
冷媒Ａが通流する流路として、再生器１にて発生された冷媒蒸気Ａ３を凝縮器５に供給する第６冷媒流路Ｓ６と、凝縮器５にて凝縮された冷媒液Ａ４を蒸発器６に供給する第７冷媒流路Ｓ７と、蒸発器６にて蒸発された冷媒蒸気Ａ３を吸収器７に供給する第８冷媒流路Ｓ８とが備えられている。第７冷媒流路Ｓ７の途中部位に、第６膨張弁Ｄ６が備えられており、第６溶液流路Ｒ６において溶液熱交換器５０と吸収器７との間の部位に、第７膨張弁Ｄ７が備えられている。
冷却水Ｂが通流する冷却水流路Ｃ、及び、冷熱用水Ｅが通流する冷熱用水流路Ｆについては、上記第１実施形態と同様であるが、再生器１に加熱温水Ｇを供給する加熱温水流路Ｈが備えられている。
【００９０】
参考形態における単効用吸収式冷凍機１０１の動作について説明する。
まず、冷媒Ａの流れについて説明する。
再生器１にて吸収液Ｋ５から発生した冷媒蒸気Ａ３を、第６冷媒流路Ｓ６により凝縮器５に供給して、凝縮器５において冷媒蒸気Ａ３を凝縮させる。凝縮器５にて凝縮された冷媒液Ａ４を、第７冷媒流路Ｓ７により蒸発器６に供給して、蒸発器６において冷媒液Ａ４を蒸発させる。そして、蒸発器６にて蒸発された冷媒蒸気Ａ３を、第８冷媒流路Ｒ８により吸収器７に供給して、吸収器７において冷媒蒸気Ａ３が吸収剤に吸収されて吸収液となる。
【００９１】
次に、吸収液Ｋの流れについて説明する。
吸収器７にて冷媒蒸気Ａ３が吸収剤に吸収された吸収液Ｋ５を、第５溶液流路Ｒ５により再生器１に供給している。このとき、第５溶液流路Ｒ５では、第６溶液流路Ｒ６の吸収液Ｋ６にて吸収液Ｋ５を加熱しており、その加熱された吸収液Ｋ５を再生器１に供給している。再生器１において加熱温水Ｇにより吸収液Ｋ５を加熱して、吸収液Ｋ５から冷媒蒸気Ａ３を発生させる。再生器１にて冷媒蒸気Ａ３が発生された吸収液Ｋ６を第６溶液流路Ｒ６により吸収器７に供給している。
【００９２】
このように、単効用吸収式冷凍機１０１は、再生器１、凝縮器５、蒸発器６、吸収器７、溶液熱交換器５０の複数の機器を備えて構成されている。この参考形態では、単効用吸収式冷凍機１０１を構成する複数の機器、及び、それら複数の機器を接続する流路等が、第１積層体５１と第２積層体５２の２つの積層体から構成されている。
【００９３】
以下、図１０〜図１２に基づいて、図１０は、第１積層体５１の分解斜視図を示しており、図１１は、第２積層体５２の分解斜視図を示しており、図１２は、第１積層体５１と第２積層体５２とから単効用吸収式冷凍機１０１を構成するに当たり、第１積層体５１と第２積層体５２とを積層して組み付けた状態での斜視図を示している。
【００９４】
上記第１実施形態と同様に、図１０に示すように、第１積層体５１は、第１外板５３、第１区画体５４、第１伝熱板５５、第２区画体５６、第２外板５７を順に積層して構成されている。図１１に示すように、第２積層体５２も、第３外板５８、第３区画体５９、第２伝熱板６０、第４区画体６１、第４外板６２を順に積層して構成されている。そして、第３外板５８については、図１３に示すように、外側の第３外板５８ａと断熱体５８ｂと内側の第３外板５８ｂとの３枚の板体からなる断熱外板にて構成されている。また、図示は省略するが、第４外板６２についても、第３外板５８と同様に、３枚の板体からなる断熱外板にて構成されている。
【００９５】
以下、第１伝熱板５５及び第２伝熱板６０の長手方向（図１０〜図１２中Ｘ方向）を「第１積層体５１及び第２積層体５２の上下方向」とし、第１伝熱板５５及び第２伝熱板６０の短手方向（図１０〜図１２中Ｙ方向）を「第１積層体５１及び第２積層体５２の左右方向」として説明する。
【００９６】
図１０に示すように、第１積層体５１では、第１区画体５４により第１流体通流室６５ａ，６５ｂが区画形成されるとともに、第２区画体５６により第２流体通流室６６ａ，６６ｂが区画形成されており、第１対向室モジュール６９として、１組目及び２組目の２つの第１対向室モジュール６９ａ、６９ｂが形成されている。そして、図１４及び図１５に示すように、１組目及び２組目の２つの第１対向室モジュール６９ａ、６９ｂにおける第１流体通流室６５ａ、６５ｂ及び第２流体通流室６６ａ、６６ｂの夫々に第１伝熱フィン６３が備えられており、伝熱性能の向上を図っているとともに、第１積層体５１の強度の向上を図っている。図１０では、第１伝熱フィン６３を省略して図示している。
図１１に示すように、第２積層体５２では、第３区画体５９により第３流体通流室６７ａ〜６７ｃが区画形成されるとともに、第４区画体６１により第４流体通流室６８ａ〜６８ｃが区画形成されており、第２対向室モジュール７０として、１組目〜３組目までの３つの第２対向室モジュール７０ａ〜７０ｃが形成されている。そして、図１６及び図１７に示すように、１組目〜３組目の３つの第２対向室モジュール７０ａ〜７０ｃにおける第３流体通流室６７ａ〜６７ｃ及び第４流体通流室６８ａ〜６８ｃの夫々に第２伝熱フィン６４が備えられており、伝熱性能の向上を図っているとともに、第２積層体５２の強度の向上を図っている。図１１では、第２伝熱フィン６４を省略して図示している。
【００９７】
以下、第１流体通流室６５及び第２流体通流室６６については、複数の第１対向室モジュール６９ａ，６９ｂのどちらの組に属するかに対応して添え字をａ，ｂの何れかを付記する。例えば、１組目の第１対向室モジュール６９ａに属する第１流体通流室６５及び第２流体通流室６６は、第１流体通流室６５ａ及び第２流体通流室６６ａとする。第３流体通流室６７及び第４流体通流室６８についても、複数の第２対向室モジュール７０ａ〜７０ｃのどの組に属するかに対応して添え字をａ〜ｃの何れかを付記する。
【００９８】
再生器１、及び、溶液熱交換器５０が、第１積層体５１の第１対向室モジュール６９にて構成され、蒸発器６、吸収器７、及び、凝縮器５が、第２積層体５２の第２対向室モジュール７０にて構成されている。具体的には、図１０に示すように、第１積層体５１では、再生器１が１組目の第１対向室モジュール６９ａにて構成されており、溶液熱交換器５０が２組目の第１対向室モジュール６９ｂにて構成されている。図１１に示すように、第２積層体５２では、凝縮器５が１組目の第２対向室モジュール７０ａにて構成されており、蒸発器６が２組目の第２対向室モジュール７０ｂにて構成されており、吸収器７が３組目の第２対向室モジュール７０ｃにて構成されている。
【００９９】
図１０に示すように、第１積層体５１では、１組目の第１対向室モジュール６９ａが上側に配置されており、２組目の第１対向室モジュール６９が下方側に配置されている。これにより、１組目の第１対向室モジュール６９ａにて構成される再生器１を上側に配置し、２組目の第１対向室モジュール６９ｂにて構成される溶液熱交換器５０を下方側に配置している。
【０１００】
図１１に示すように、第２積層体５２では、１組目の第２対向室モジュール７０ａが上側に配置されており、２組目の第２対向室モジュール７０ｂが右下側に配置され、３組目の第２対向室モジュール７０ｃが左下側に配置されている。これにより、１組目の第２対向室モジュール７０ａにて構成される凝縮器５を上側に配置し、２組目の第２対向室モジュール７０ｂにて構成される蒸発器６を右下側に配置し、３組目の第２対向室モジュール７０ｃにて構成される吸収器７を左下側に配置している。
【０１０１】
この第２実施形態においても、上記第１実施形態と同様に、第１積層体５１において、第１区画体５４にて区画形成される第１流体通流室６５と第２区画体５６にて区画形成される第２流体通流室６６とを連通するための連通室７３が複数備えられている。
【０１０２】
図１０に示すように、第１積層体５１において、第１区画体５４において上側に位置する第１流体通流室６５ａの右側には、縦長状の第１連通室７３ａが区画形成されている。この第１連通室７３ａは、第１連通室７３ａの上端部が、第１伝熱板５５に形成された第２開口部７５ｂを通して、第２区画体５６にて上端部に形成された横長状の第２連通室７３ｂの右端部に連通されているとともに、第１連通室７３ａの下端部が、第１伝熱板５５に形成された第１開口部７５ａを通して、第２区画体５６にて上下方向の中間部に形成された横長状の第３連通室７３ｃの右端部に連通されている。
【０１０３】
また、第１積層体５１では、第１区画体５４において上側に位置する第１流体通流室６５ａの左側に、第１区画体５４と第２区画体５６との間に第１伝熱板５５が存在しない部位を有している。これにより、第１区画体５４にて形成される区画空間と第２区画体５６にて形成される区画空間とが合体した第４連通室７３ｄが備えられている。この第４連通室７３ｄは、第１区画体５４によって、上側に位置する第１流体通流室６５ａに連通されており、上下方向で流体の通流方向が上側と下側とに分岐された流路状に形成されている。
【０１０４】
図１１に示すように、第２積層体５２にも、第３区画体５９にて区画形成される第３流体通流室６７と第４区画体６１にて区画形成される第４流体通流室６８とを連通させるための複数の連通室７３が備えられている。
第４区画体６１において上側に位置する第４流体通流室６８ａと右下側に位置する第４流体通流室６８ｂとの間に、横長状の第５連通室７３ｅが区画形成されている。この第５連通室７３ｅは、第２伝熱板６０に形成された複数の第２貫通孔部７４ｂを通して、第３区画体５９において右下側に位置する第３流体通流室６７ｂの上端部に連通されている。
第４区画体６１において上側に位置する第４流体通流室６８ａと左下側に位置する第４流体通流室６８ｃとの間に、横長状の第６連通室７３ｆが区画形成されている。この第６連通室７３ｆは、第２伝熱板６０に形成された複数の第３貫通孔部７４ｃを通して、第３区画体５９において左下側に位置する第３流体通流室６７ｃの上端部に連通されている。
【０１０５】
また、第３区画体５９及び第４区画体６１において右下側に位置する第３流体通流室６７ｂ及び第４流体通流室６８ｂと第３区画体５９及び第４区画体６１において左下側に位置する第３流体通流室６７ｃ及び第４流体通流室６８ｃとの間には、第３区画体５９と第４区画体６１との間に第２伝熱板６０が存在しない部位を有している。これにより、第３区画体５９にて形成される空間と第４区画体６１にて形成される空間とが合体した第７連通室７３ｇが備えられている。この第７連通室７３ｇは、第３区画体５９によって、右下側に位置する第３流体通流室６７ｂ及び左下側に位置する第３流体通流室６７ｃに連通されている。第２伝熱板６０が存在しない部位は、上述の部位だけでなく、第３区画体５９及び第４区画体６１において右下側に位置する第３流体通流室６７ｂ及び第４流体通流室６８ｂの下側、及び、第３区画体５９及び第４区画体６１において左下側に位置する第３流体通流室６７ｃ及び第４流体通流室６８ｃの下側も、第２伝熱板６０が存在していない。これにより、この第２伝熱板６０が存在していない部位も、第３区画体５９にて形成される空間と第４区画体６１にて形成される空間とが合体した第８連通室７３ｈとなっている。この第８連通室７３ｈは、第３区画体５９によって、その左上側に位置する第３流体通流室６７ｃに連通されているとともに、その上側に位置する第７連通室７３ｇにも連通されている。
【０１０６】
以下、再生器１、凝縮器５、蒸発器６、吸収器７、及び、溶液熱交換器５０の夫々の機器について説明する。
【０１０７】
〔再生器〕
図１０に示すように、上側に位置する１組目の第１対向室モジュール６９ａでは、溶液熱交換器５０から流出した吸収液Ｋ５を第１流体通流室６５ａに通流させ、且つ、加熱温水Ｇを第２流体通流室６６ａに通流させている。これにより、加熱温水Ｇにて吸収液Ｋ５を加熱して吸収液Ｋ５から冷媒蒸気Ａ３を発生させる再生器１が、１組目の第１対向室モジュール６９ａにて構成されている。
【０１０８】
第１流体通流室６５ａに流入される吸収液Ｋ５は、第２区画体５６において上下方向の中間部に位置する第３連通室７３ｃから、第１積層体５１の外部に排出されることなく、第１開口部７５ａを通して第１区画体５４において右端部に位置する第１連通室７３ａの下端部に流入し、その第１連通室７３ａの上端部から、第２開口部７５ｂを通して第２区画体５６の上端部に位置する第２連通室７３ｂに流入し、その第２連通室７３ｂから、複数の第１貫通孔部７４ａを通して、第１流体通流室６５ａの上端部に直接流入されている。これにより、第１流体通流室６５ａが直接流入用流体通流室として構成されており、溶液熱交換器５０から再生器１に吸収液Ｋ５を直接流入可能に構成されている。第１流体通流室６５ａを通流した吸収液Ｋ５は、その左端部から、第１流体通流室６ａに連通された第４連通室７３ｄに供給されて、その第４連通室７３ｄにて吸収液Ｋ５から冷媒蒸気Ａ１が分離される。このようにして、第４連通室３３ｄは、吸収液Ｋ１から冷媒蒸気Ａ３を分離させる分離室として構成されており、分離された冷媒蒸気Ａ３は、第４連通室３３ｄの左上端部から、第１排出部７２ａにより第１積層体５１の外部に排出されている。
【０１０９】
第２流体通流室６６ａに流入される加熱温水Ｇは、第１流入部７１ａにより第２流体通流室６６ａの右下端部に流入されている。第２流体通流室６６ａを通流した加熱温水Ｇは、その右上端部から、第２排出部７２ｂにより第１積層体５１の外部に排出されている。
【０１１０】
〔溶液熱交換器〕
下側に位置する２組目の第１対向室モジュール６９ｂでは、再生器１から流出した吸収液Ｋ６を第１流体通流室６５ｂに通流させ、且つ、吸収器７を流出した吸収液Ｋ５を第２流体通流室６６ｂに通流させている。これにより、再生器１から流出した吸収液Ｋ６にて吸収器５を流出した吸収液Ｋ５を加熱する溶液熱交換器５０が、２組目の第１対向室モジュール６９ｂにて構成されている。
【０１１１】
第１流体通流室６５ｂに流入される吸収液Ｋ６は、第１区画体５４の左側に位置する第４連通室７３ｄを通して、第１積層体５１の外部に排出されることなく、第１流体通流室６５ｂの左下端部に流入されている。これにより、第１流体通流室６５ｂが直接流入用流体通流室として構成されており、再生器１から溶液熱交換器５０に吸収液Ｋ６を直接流入可能に構成されている。第１流体通流室６５ｂを通流した吸収液Ｋ６は、その右上端部から、第３排出部７２ｃにより第１積層体５１の外部に排出されている。
【０１１２】
第２流体通流室６６ｂに流入される吸収液Ｋ５は、第２流入部７１ｂにより第２流体通流室６６ｂの右下端部に流入されている。第２流体通流室６６ｂを通流した吸収液Ｋ５は、その左上端部から第３連通室７３ｃに流入し、その第３連通室７３ｃの右端部から第１開口部７５ａを通して第１区画体５４において右端部に位置する第１連通室７３ａに流入し、その第１連通室７３ａから複数の第１貫通孔部７４ａを通して第１流体通流室６５ａの上端部に直接流入されている。
【０１１３】
〔凝縮器〕
図１１に示すように、上側に位置する１組目の第２対向室モジュール７０ａでは、再生器１から流出した冷媒蒸気Ａ３を第３流体通流室６７ａに通流させ、且つ、吸収器７を流出した冷却水Ｂを第４流体通流室６８ａに通流させている。これにより、再生器１から流出した冷媒蒸気Ａ３を冷却水Ｂにより凝縮させる凝縮器５が、１組目の第２対向室モジュール７０ａにて構成されている。
【０１１４】
第３流体通流室６７ａに流入させる冷媒蒸気Ａ３は、第３流入部７１ｃにより第３流体通流室６７ａの左上端部に流入されている。第３流体通流室６７ａを通流した冷媒蒸気Ａ３は、冷媒液Ａ４となって、第３流体通流室６７ａの右下端部から、第２積層体５２の外部に排出されることなく、第４区画体６１において右側で上下方向の中間部に位置する第５連通室７３ｅに流入し、その第５連通室７３ｅから、複数の第２貫通孔部７４ｂを通して、第３区画体５９において右下側に位置する第３流体通流室６７ｂの上端部に直接流入されている。
【０１１５】
第４流体通流室６８ａに流入させる冷却水Ｂは、第４流体通流室６８ｃとの連通により、第２積層体５２の外部に排出されることなく、第４流体通流室６８ａの左下端部に直接流入されている。これにより、第４流体通流室６８ａが直接流入用流体通流室として構成されており、吸収器７から凝縮器５に冷却水Ｂを直接流入可能に構成されている。第４流体通流室６８ａを通流した冷却水Ｂは、その右上端部から、第４排出部７２ｄにより第２積層体１２の外部に排出されている。
【０１１６】
〔蒸発器〕
右下側に位置する２組目の第２対向室モジュール７０ｂでは、凝縮器５を流出した冷媒液Ａ４を第３流体通流室６７ｂに通流させ、且つ、冷熱用水Ｅを第４流体通流室６８ｂに通流させている。これにより、凝縮器５を流出した冷媒液Ａ４を冷熱用水Ｅにより蒸発させる蒸発器６が、２組目の第２対向室モジュール７０ｂにて構成されている。
【０１１７】
第３流体通流室６７ｂに流入させる冷媒液Ａ４は、第３区画体５９において上側に位置する第３流体通流室６７ａから、第２積層体５２の外部に排出されることなく、第４区画体６１において右側で上下方向の中間部に位置する第５連通室７３ｅの右端部に流入し、その第５連通室７３ｅから複数の第２貫通孔部７４ｂを通して第３流体通流室６７ｂの上端部に流入されている。これにより、第３流体通流室６７ｂが直接流入用流体通流室として構成されており、凝縮器５から蒸発器６に冷媒液Ａ４が直接流入可能に構成されている。第３流体通流室６７ｂを通流した冷媒液Ａ４は、冷媒蒸気Ａ３となって、その左端部から、第７連通室７３ｇを通して、第３流体通流室６７ｃに直接流入されている。
【０１１８】
第４流体通流室６８ｂに流入させる冷熱用水Ｅは、第４流入部７１ｄにより第４流体通流室６８ｂの右下端部に流入されている。第４流体通流室６８ｂを通流した冷熱用水Ｅは、その右上端部から第６排出部７２ｆにより第２積層体５２の外部に排出されている。
【０１１９】
〔吸収器〕
左下側に位置する３組目の第２対向室モジュール７０ｃでは、溶液熱交換器５０を流出した吸収液Ｋ６及び蒸発器６を流出した冷媒蒸気Ａ３を第３流体通流室６７ｃに通流させ、且つ、冷却水Ｂを第４流体通流室６８ｃに通流させている。これにより、溶液熱交換器５０を流出した吸収液Ｋ６に蒸発器６を流出した冷媒蒸気Ａ３を吸収させる吸収器７が、３組目の第２対向室モジュール７０ｃにて構成されている。
【０１２０】
第３流体通流室６７ｃに流入させる吸収液Ｋ６は、第５流入部７１ｅにより第４区画体６１において左側で上下方向の中間部に位置する第６連通室７３ｆに流入し、その第６連通室７３ｆから複数の第３貫通孔部７４ｃを通して、第３流体通流室６７ｃの上端部に流入されている。また、第３流体通流室６７ｃに流入させる冷媒蒸気Ａ３は、第３区画体５９において右下側に位置する第３流体通流室６７ｂから、第２積層体５２の外部に排出されることなく、第７連通室７３ｇを通して、第３流体通流室６７ｃに流入されている。そして、第３流体通流室６７ｃを通流する吸収液Ｋ６に冷媒蒸気Ａ３が吸収されている。また、第３流体通流室６７ｃの下側に位置する第８連通室７３ｈには、吸収液Ｋ６に冷媒蒸気Ａ３が吸収された吸収液Ｋ５が溜められており、その吸収液Ｋ５が、第８連通室７３ｈの下端部から、第５排出部７２ｅにより第２積層体５２の外部に排出されている。
【０１２１】
第４流体通流室６８ｃに流入させる冷却水Ｂは、第６流入部７１ｆにより第４流体通流室６８ｃの左下端部に流入されている。第４流体通流室６８ｃを通流した冷却水Ｂは、その左上端部から第４流体通流室６８ａに直接流入されている。
【０１２２】
この参考形態においても、上記第１実施形態と同様に、第１積層体５１において、第１追加区画体及び第１追加伝熱板の第１単位追加体を追加して積層自在に構成されている。第２積層体５２において、第２追加区画体及び第２追加伝熱板の第２単位追加体を追加して積層自在に構成されている。
【０１２３】
このようにして、第１積層体５１と第２積層体５２とによって、再生器１、凝縮器５、蒸発器６、吸収器７、溶液熱交換器５０を構成することができる。そこで、単効用吸収式冷凍機１０１を構成するに当たり、図１２に示すように、第１積層体５１と第２積層体５２とを積層して、第１積層体５１の流入部や排出部と第２積層体５２の排出部や流入部との接続や溶液ポンプＰ１の装着を行うことで、単効用吸収式冷凍機１０１を製造するようにしている。
【０１２５】
＜別実施形態＞
（１）上記第１実施形態では、第１積層体の製造方法として、第１外板、第１区画体、第１伝熱板、第２区画体、第２外板を順に積層してロウ付けにより互いを接着させて製造しているが、例えば、第１外板、第１区画体、第１伝熱板、第２区画体、第２外板を順に積層してパッキン等により互いに接合することもできる。このようにパッキン等により接合すると、第１積層体を分解して点検作業を行うことが可能となる。
また、第２積層体についても、第１積層体と同様に、パッキン等により接合することもできる。
【０１２６】
（２）上記第１実施形態において、第１積層体にて形成する第１対向室モジュールの数、及び、第２積層体にて形成する第２対向室モジュールの数については、適宜変更が可能であり、上記第１実施形態にて示したものに限るものではない。
【０１２７】
（３）上記第１実施形態では、吸収器７に冷却水Ｂを供給して吸収液と冷媒蒸気とを混合させているが、例えば、吸収器に戻す吸収液を冷却水等の冷却用流体にて冷却させる溶液冷却用熱交換器を吸収器とは別に備え、その溶液冷却用熱交換器を流出した吸収液を吸収器に供給してその吸収液と冷媒蒸気とを混合させることもできる。この場合には、溶液冷却用熱交換器も第１積層体に形成される第１対向室モジュール又は第２積層体に形成される第２対向室モジュールにて構成することができる。
【産業上の利用可能性】
【０１２８】
本発明は、蒸発器、吸収器、再生器、凝縮器、溶液熱交換器を備え、強度の向上を図ることができながら、コンパクトに構成して伝熱性能を向上できる各種の吸収式冷凍機及び吸収式冷凍機の製造方法に適応可能である。
【符号の説明】
【０１２９】
１        再生器
３        高温再生器
４        低温再生器
５        凝縮器
６        蒸発器
７        吸収器
８        低温溶液熱交換器
９        高温溶液熱交換器
１０      冷媒熱交換器
１１      第１積層体
１２      第２積層体
１３      第１外板
１４      第１区画体
１５      第１伝熱板
１６      第２区画体
１７      第２外板
１８      第３外板
１９      第３区画体
２０      第２伝熱板
２１      第４区画体
２２      第４外板
２３      第１伝熱フィン
２４      第２伝熱フィン
２５      第１流体通流室（流体通流室）
２５ｂ，２５ｃ      直接流入用流体通流室
２６      第２流体通流室（流体通流室）
２６ａ，２６ｄ      直接流入用流体通流室
２７      第３流体通流室（流体通流室）
２８      第４流体通流室（流体通流室）
２８ａ      直接流入用流体通流室
２９      第１対向室モジュール
３０      第２対向室モジュール
３１      流入部
３２      排出部
５０      溶液熱交換器
５１      第１積層体
５２      第２積層体
５３      第１外板
５４      第１区画体
５５      第１伝熱板
５６      第２区画体
５７      第２外板
５８      第３外板
５９      第３区画体
６０      第２伝熱板
６１      第４区画体
６２      第４外板
６３      第１伝熱フィン
６４      第２伝熱フィン
６５      第１流体通流室（流体通流室）
６５ａ，６５ｂ      直接流入用流体通流室
６６      第２流体通流室（流体通流室）
６７      第３流体通流室（流体通流室）
６７ｂ      直接流入用流体通流室
６８      第４流体通流室（流体通流室）
６８ａ      直接流入用流体通流室
６９      第１対向室モジュール
７０      第２対向室モジュール
７１      流入部
７２      排出部
【図１】
0005731247.tif 000002
【図２】
0005731247.tif 000003
【図３】
0005731247.tif 000004
【図４】
0005731247.tif 000005
【図５】
0005731247.tif 000006
【図６】
0005731247.tif 000007
【図７】
0005731247.tif 000008
【図８】
0005731247.tif 000009
【図９】
0005731247.tif 000010
【図１０】
0005731247.tif 000011
【図１１】
0005731247.tif 000012
【図１２】
0005731247.tif 000013
【図１３】
0005731247.tif 000014
【図１４】
0005731247.tif 000015
【図１５】
0005731247.tif 000016
【図１６】
0005731247.tif 000017
【図１７】
0005731247.tif 000018